(57)【要約】      （修正有）【課題】製造工程が容易で、製造コストが安価な複数のパイル長を有するカットパイル敷物を提供する。さらに、風合いの良い複数のパイル長を有するカットパイル敷物を提供する。【解決手段】シート状の基材１と、前記基材１の表面側に形成された複数のループパイルが中央部よりずれた位置で斜めに切離されて形成されるカットパイル２とを備える。各カットパイル２は、複数の糸長の異なる短パイル部１０および長パイル部１１と、長パイル部の先端から先端部引出手段により部分的に引き出された引出部１２とを有するように構成している。【選択図】図２
0003164124.tif 000002
【実用新案登録請求の範囲】
【請求項１】
シート状の基材と、前記基材の表面側に形成された複数のループパイルが中央部よりずれた位置で斜めに切離されて形成されるカットパイルとを備えたカットパイル敷物であって、
前記各カットパイルは、複数の糸長の異なる短パイル部および長パイル部と、前記長パイル部の先端から先端部引出手段により部分的に引き出された引出部とを有していることを特徴とするカットパイル敷物。
【請求項２】
前記複数の糸長の異なる短パイル部のうちの最短パイル部と前記複数の糸長の異なる長パイル部のうちの最長パイル部との糸長差が５乃至５０ｍｍであると共に、前記長パイル部先端の引出部の糸長が３ｍｍ以上であることを特徴とする請求項１に記載のカットパイル敷物。
【考案の詳細な説明】
【技術分野】
【０００１】
本考案は、シート状の基材の裏面側にパイルをループ状に複数形成し、前記パイルのループ部を切離して形成するカットパイル敷物であって、３段以上の複数のパイル長を有するものに関する。
【背景技術】
【０００２】
従来、複数のパイル長を有するカットパイル製品としては、例えば、本件出願人の提案による特開２００３−２６８６５２号（特許文献１）に記載されているものが公知である。
【０００３】
前記のカットパイル製品は、少なくとも１種が無撚である糸条をオーバーフィードして得た２種以上の繊維から成るカバリング糸をパイル糸に用いて、タフティング・カットした後開繊する事により、長い繊維をパイル表面に引き出し２種以上の色相，風合い，機能性などを同時に付与した２段カットパイル製品を製造できるものであり、少なくとも１種が無撚糸でカバリングされた２種以上の繊雄から成るパイル糸を用いて、従来にみられない多様化した特性を有する２段カットパイルのカーペット，織物，編物などの製品を得ることができる。また、収縮差による２段パイルカーペットとして、特開５４−２３７７６号（特許文献２）に記載の発明や特開２０００−７０１０６号（特許文献３）に記載の発明もある。
【０００４】
さらに、本件出願人の提案する、他の複数のパイル長を有するカットパイル布帛として、特開２００８−９５２５９号（特許文献４）に記載されているものが公知である。
【０００５】
前記のカットパイル布帛は、パイル面を覆う長パイルと、その長パイルの根元を囲んで支える短パイルとの２種類のパイルによってパイル層が構成されている二段複合タフテッドパイル布帛に関するものであって、ポリオレフィン系樹脂に成る扁平断面形状のテープヤーンを経糸と緯糸に成るベース織物に繊維ウエブを積層してニードルパンチングを施し、根元がベース織物の経糸と緯糸との少なくとも何れか一方の糸条を貫通して突き出た第１次パイルを形成する。次に、繊維ウエブの積層面からベース織物に向けてパイル糸を差し込んで第１次パイルよりも長い第２次パイルを形成する。第１次パイルと第２次パイルはカットパイルとする。テープヤーンは、長さ方向に途切れ途切れに続く複数条のスリットの付けられたスプリットヤーンとする。
【０００６】
したがって、前記考案では、短パイル布帛を損傷することなく重ねて長パイルをタフティングし、長パイルと短パイルの長さが揃い、可撓性に富み、寸法形状安定な二段複合タフテッドパイル布帛を製造することができる。
【先行技術文献】
【特許文献】
【０００７】
【特許文献１】特開２００３−２６８６５２号  第１頁
【特許文献２】特開５４−２３７７６号    第１頁
【特許文献３】特開２０００−７０１０６号  第１頁、図１
【特許文献４】特開２００８−９５２５９号    第１頁、第１図
【考案の概要】
【考案が解決しようとする課題】
【０００８】
しかしながら、前記特許文献１に示す考案においては、無撚糸条をオーバーフィードして得た２種以上の繊維から成るカバリング糸をパイル糸に用いるため、容易に複数のパイル長を形成させることは困難であった。
【０００９】
一方、前記特許文献２及び特許文献３に示す考案においても、収縮差のみでは大きな糸長差は得られず且つ複数のパイル長も容易に得られなかった。
【００１０】
本考案は、かかる事情に鑑みてなされたものであって、製造工程が容易な複数（３段以上）のパイル長を有するカットパイル敷物を提供することを目的とする。
【００１１】
また、本考案の他の目的は、柔軟性と光沢が付与され全体的に高級感のある風合いの良い複数の３段以上のパイル長を有するカットパイル敷物を提供することを目的とする。
【課題を解決するための手段】
【００１２】
請求項１に記載のカットパイル敷物は、シート状の基材と、前記基材の表面側に形成された複数のループパイルが中央部よりずれた位置で斜めに切離されて形成されるカットパイルとを備えたカットパイル敷物であって、前記各カットパイルは、複数の糸長の異なる短パイル部および長パイル部と、前記長パイル部の先端から先端部引出手段により部分的に引き出された引出部とを有していることを特徴としている。
【００１３】
請求項１に記載のカットパイル敷物にあっては、基材の表面側に形成されたループパイルが中央部よりずれた位置で斜めに切離されてカットパイルが形成されるので、このカットパイルは、複数の糸長の異なる短パイル部と長パイル部とを有すると共に、長パイル部の先端は先端部引出手段により引出部が部分的に形成されることになる。
【００１４】
請求項２に記載のカットパイル敷物は、請求項１に記載のカットパイル敷物に加えて、前記複数の糸長の異なる短パイル部のうちの最短パイル部と前記複数の糸長の異なる長パイル部のうちの最長パイル部との糸長差が５乃至５０ｍｍであると共に、前記長パイル部先端の引出部の糸長が３ｍｍ以上であることを特徴としている。
【００１５】
請求項２に記載のカットパイル敷物にあっては、前記複数の糸長の異なる短パイル部のうちの最短パイル部と前記複数の糸長の異なる長パイル部のうちの最長パイル部との糸長差が５乃至５０ｍｍである短パイル部と長パイル部と、長パイル部の先端に３ｍｍ以上の糸長を有する引出部とが形成される。なお、糸長差が５ｍｍ未満では、ボリューム感と柔軟性が低下し、５０ｍｍより上では、毛先が絡み易く、外観や柔軟性を損なうので好ましくない。また、長パイル部の先端の一部を溝付熱ローラーで３ｍｍ以上引き出し、更に柔軟性と光沢を付与することが好ましい。
【００１６】
なお、本考案のカットパイル敷物としては、パイルを有するタフテッドカーペット類、マット類、ラグ類、絨毯類、立毛編織物等が含まれる。
【考案の効果】
【００１７】
請求項１に記載のカットパイル敷物によれば、各カットパイルは、糸長の異なる３種類のパイル、すなわち短パイル部、長パイル部および引出部を備えているために、より一層きめ細かいな特性、たとえば種々の色相，風合い，感触，機能性等を備えたカットパイル敷物を製作することが可能になる。
【００１８】
また、このようにして製作されたカットパイル敷物は、長パイル部の存在により全体が傾倒するような感じを呈すると共に、良好な柔軟性を備えることになる。また、引出部の存在により柔軟性と光沢が付与され全体的に高級感を備えるという特徴を有している。
【００１９】
さらに、長パイル部を有効利用して、その先端から引出部を引出形成することにより、３段以上のパイル長を有するカットパイル自体の構成を簡略化することができるために、製造工程が簡易なものとなり、安価に製作することに資することが可能となった。
【００２０】
また、カッター等による短パイル部および長パイル部の形成、引出装置による引出部の形成という一連のカットパイルの製作作業は、非常に容易にかつ効率良く行うことができる。
【００２１】
請求項２に記載のカットパイル敷物によれば、請求項１に記載のカットパイル敷物に加えて、３種類の異なる糸長を備えた短パイル部、長パイル部および引出部を製作することができるために、確実に種々の色相，風合い，感触，機能性等を備えるカットパイル敷物を得ることが可能になる。
【図面の簡単な説明】
【００２２】
【図１】本考案に係るカットパイル敷物の一実施形態を示す斜視図である。
【図２】図１に示すカットパイル敷物の要部断面図である。
【考案を実施するための形態】
【００２３】
以下、本考案を実施するための形態を図面に基づいて具体的に説明する。
【００２４】
図１は本考案の一実施形態に係るカットパイル敷物の斜視図であり、図２はその要部断面図を示している。本実施形態に係るカットパイル敷物Ａは、図１に示すように、シート状の基材１と、基材１の表面側を覆うようにして多数設けられたカットパイル２とを備えている。基材１は、たとえば天然繊維、合成繊維その他適宜の繊維材料によって作成された編織物または不織布等からなっている。カットパイル２は、たとえば天然繊維、合成繊維、その他適宜の繊維材料で作成されたスパン糸、フィラメント糸等からなっている。本実施形態に係るカットパイル２は１５００デニールのものを使用しているが、その太さは適宜変更される。
【００２５】
各カットパイル２は、基材１の裏面側から植設され、その表面側でタフティングされた複数のループパイルが中央部よりずれて斜めに切離されて形成される。カットパイル２は、糸長の異なる短パイル部１０および長パイル部１１と、長パイル部１１の先端から先端部引出手段としての引出装置により部分的に引き出される引出部１２とを有している。
【００２６】
前記短パイル部１０と前記長パイル部１１とは、ループパイルを中央部よりずれた位置で斜めにカッターによりカットされるため、該長短パイルの中でもそれぞれ糸長が異なることになる。本実施形態においては、前記基材１から突出する短パイル部１０の糸長を平均１０ｍｍとし、前記基材１から突出する長パイル部１１の糸長を平均３０ｍｍに設定している。なお、短パイル部から突出する長パイル部１１の具体的な糸長は決してこれに限定されるものではなく、適宜変更が可能である。ただし、最短パイルと最長パイルとの糸長差が５ｍｍ未満では、ボリューム感と柔軟性が低下し、５０ｍｍより上では、毛先が絡み易く、外観や柔軟性を損なうので、長パイル部１１の糸長は、短パイル部よりも５乃至５０ｍｍの範囲に設定するのが好ましい。
【００２７】
前記引出部１２は、長パイル部１１の形成後、その先端から引出装置により所定の糸数を部分的に引出して形成される。引出部１２の糸長は、長パイル部１１の先端から約５ｍｍ程度となるように設定されている。なお、かかる引出部１２の糸長も任意に変更が可能であるが、長パイル部１１の先端から３ｍｍ以上となるように設定すると、更に柔軟性と光沢を付与できるので、好ましい。ただし、引出部１２の糸長は全て同一長さに設定する必要はなく、変化を持たせるように構成してもよい。また、前記基材１の裏面側には、接着剤２０を介して裏打材２１が一体的に接着されているが、本考案はこれに限定されるものではなく、本実施例に示すパイルを有するタフテッドカーペット類の他、パイルを有するマット類、ラグ類、絨毯類及び立毛編織物等が含まれる。
【００２８】
本実施形態に係るカットパイル敷物Ａは以上のように構成されている。かかるカットパイル敷物Ａの各カットパイル２は、３種類以上の複数のパイルを備えているために、より一層きめ細かいな特性、たとえば種々の色相，風合い，感触，機能性等を備えたカットパイル敷物を製作することが可能になる。
【００２９】
また、このようにして製作されたカットパイル敷物Ａは、図１に示すように、長パイル部１１の存在により全体が傾倒するような感じを呈すると共に、良好な柔軟性を備える。また、引出部１２の存在により、更に柔軟性と光沢を付与し、全体的に高級感を備えるという特徴を有している。
【００３０】
さらに、長パイル部１１を有効利用して、その先端から引出部１２を引出形成することにより、カットパイル２自体の構成を簡略化することができるために、製造工程が簡易なものとなり、安価に製作することに資することが可能となった。
【００３１】
また、カッター等による短パイル部１０および長パイル部１１の形成、引出装置による引出部１２の形成という一連のカットパイル２の製作作業は、非常に容易にかつ効率良く行うことができる。
【００３２】
その他、カットパイル敷物Ａの形状等の具体的な構成は、本考案の意図する範囲内において任意に設計変更自在である。
【符号の説明】
【００３３】
１    基材
２    カットパイル
１０    短パイル部
１１    長パイル部
１２    引出部
Ａ    カットパイル敷物
【図１】
0003164124.tif 000003
【図２】
0003164124.tif 000004